(57)【要約】【課題】構造の複雑化、部品点数の増加、制御の複雑化を招くことなく、例えばチルド室などのような特別冷却室の内部を目標温度帯に精度良く冷却できるようにした冷蔵庫を提供する。【解決手段】本実施形態に係る冷蔵庫は、冷蔵室内に設けられる特別冷却室と、前記特別冷却室内の冷却を制御する制御手段と、を備え、前記制御手段は、前記特別冷却室内を冷却する冷却モードとして、前記特別冷却室内を通常温度帯に冷却する通常冷却モードと、前記特別冷却室内を前記通常冷却モードにおける通常温度帯よりも低い特別温度帯に冷却する特別冷却モードと、を実行可能であり、前記特別温度帯は、前記特別冷却モードにおける目標温度を基準として所定の調整値内となる温度帯であって、前記調整値として、前記特別冷却モード用に規定された特別冷却モード用調整値が設定される。【選択図】図４
2020122590.tif 000002
【特許請求の範囲】
【請求項１】
冷蔵室内に設けられる特別冷却室と、
前記特別冷却室内の冷却を制御する制御手段と、
を備え、
前記制御手段は、
前記特別冷却室内を冷却する冷却モードとして、
前記特別冷却室内を通常温度帯に冷却する通常冷却モードと、
前記特別冷却室内を前記通常冷却モードにおける通常温度帯よりも低い特別温度帯に冷却する特別冷却モードと、
を実行可能であり、
前記特別温度帯は、前記特別冷却モードにおける目標温度を基準として所定の調整値内となる温度帯であって、
前記調整値として、前記特別冷却モード用に規定された特別冷却モード用調整値が設定される冷蔵庫。
【請求項２】
前記通常温度帯は、前記通常冷却モードにおける目標温度を基準として所定の調整値内となる温度帯であって、
前記特別冷却モード用調整値として、前記通常冷却モードにおける前記調整値よりも小さい値が設定される請求項１に記載の冷蔵庫。
【請求項３】
所定領域の温度を検知する温度検知手段と、
冷気を生成する冷却器と、
前記冷却器に冷媒を送るコンプレッサと、
前記冷却器が生成する冷気を前記特別冷却室内に送風するファンと、
を備え、
前記制御手段は、前記特別冷却モードの実行中において、前記温度検知手段が検知する温度が、前記特別冷却モードにおける目標温度に前記特別冷却モード用調整値を加算した温度以上になると、前記コンプレッサの運転周波数に基づいて前記ファンの回転速度を制御する請求項１または２に記載の冷蔵庫。
【請求項４】
前記温度検知手段として、
前記特別冷却室内の温度を検知する特別冷却室内温度検知手段と、
外気の温度を検知する外気温度検知手段と、
を備え、
前記制御手段は、前記特別冷却モードの実行中において、前記特別冷却室内温度検知手段が検知する温度が、前記特別冷却モードにおける目標温度に前記特別冷却モード用調整値を加算した温度と前記特別冷却モードにおける目標温度から前記特別冷却モード用調整値を減算した温度との間の温度である場合には、前記外気温度検知手段が検知する温度に基づいて前記ファンの回転速度を制御する請求項３に記載の冷蔵庫。
【請求項５】
前記制御手段は、前記冷却器に付着した霜を前記ファンにより吹き飛ばす除霜モードを実行可能であり、
前記除霜モードにおける前記ファンの回転速度を、前記特別冷却モードにおける前記ファンの回転速度よりも高くする請求項３または４に記載の冷蔵庫。
【発明の詳細な説明】
【技術分野】
【０００１】
本実施形態は、冷蔵庫に関する。
【背景技術】
【０００２】
従来より、冷蔵室の内部にチルド室を設けた冷蔵庫が提供されている（例えば、特許文献１参照）。この種の冷蔵庫においては、チルド室内の温度を、設定された目標温度帯に維持することが求められる。そのため、従来では、例えば、チルド室を密閉構造にしたり、温度センサをチルド室内に設けて当該チルド室内の温度の検知精度を高めたり、チルド室内への冷気の送風口に設けたダンパの開閉制御を調整したりすることによって、チルド室内の温度を制御するようにしている。
【先行技術文献】
【特許文献】
【０００３】
【特許文献１】特開２００２−１１５９５４号公報
【発明の概要】
【発明が解決しようとする課題】
【０００４】
しかしながら、従来の技術では、構造の複雑化や部品点数の増加を招いてしまい、また、多くの構成要素を制御する必要があることから、その制御が複雑化してしまう。
【０００５】
そこで、本実施形態は、構造の複雑化、部品点数の増加、制御の複雑化を招くことなく、例えばチルド室などのような特別冷却室の内部を目標温度帯に精度良く冷却できるようにした冷蔵庫を提供する。
【課題を解決するための手段】
【０００６】
本実施形態に係る冷蔵庫は、冷蔵室内に設けられる特別冷却室と、前記特別冷却室内の冷却を制御する制御手段と、を備え、前記制御手段は、前記特別冷却室内を冷却する冷却モードとして、前記特別冷却室内を通常温度帯に冷却する通常冷却モードと、前記特別冷却室内を前記通常冷却モードにおける通常温度帯よりも低い特別温度帯に冷却する特別冷却モードと、を実行可能であり、前記特別温度帯は、前記特別冷却モードにおける目標温度を基準として所定の調整値内となる温度帯であって、前記調整値として、前記特別冷却モード用に規定された特別冷却モード用調整値が設定される。
【図面の簡単な説明】
【０００７】
【図１】本実施形態に係る冷蔵庫の構成例を概略的に示す正面図
【図２】本実施形態に係るチルド室およびその周辺部分の構成例を概略的に示す縦断側面図
【図３】本実施形態に係る冷蔵庫の制御系の構成例を概略的に示すブロック図
【図４】本実施形態に係る通常温度帯および特別温度帯の設定例を概略的に示す図
【図５】本実施形態に係る冷蔵庫の制御例を概略的に示すフローチャート
【発明を実施するための形態】
【０００８】
以下、冷蔵庫に係る一実施形態について図面を参照しながら説明する。図１に例示する冷蔵庫１は、その外郭を構成する矩形箱状の断熱箱体２の内部に複数の貯蔵室、この場合、冷蔵室３、野菜室４、製氷室５、小冷凍室６、大冷凍室７を備えている。この場合、冷蔵室３は、断熱箱体２の最上部に設けられている。野菜室４は、冷蔵室３の下部に設けられている。製氷室５および小冷凍室６は、野菜室４の下部において左右に並べて設けられている。大冷凍室７は、製氷室５および小冷凍室６の下部、換言すれば、断熱箱体２の最下部に設けられている。断熱箱体２は、内箱および外箱の間に真空断熱パネルや発泡ウレタンなどの断熱材を備えた構成である。また、複数の貯蔵室３，４，５，６，７は、それぞれ貯蔵室扉によって開閉されるようになっている。
【０００９】
また、冷蔵室３の内部、この場合、底部には特別冷却室の一例であるチルド室１０が設けられている。次に、このチルド室１０およびその周辺部分の構成例について説明する。図２に例示するように、冷蔵室３内の後部には上下方向に延びる冷気ダクト１１が設けられている。冷気ダクト１１の上部には、複数の冷蔵室用冷気吹出口１１ａが設けられている。また、冷気ダクト１１の下部には、冷蔵庫１の前方側である冷蔵室３内側に膨出した冷却室１２が設けられている。チルド室１０は、冷蔵室３内において、この冷却室１２の前方に位置して設けられている。
【００１０】
冷却室１２の前面の上部には、チルド室用冷気吹出口１２ａが設けられている。また、冷却室１２の前面の下部には、チルド室用冷気吸込口１２ｂが設けられている。チルド室用冷気吹出口１２ａには、冷蔵庫１の前方側であるチルド室１０内側に突出する案内部１２ｃが設けられている。案内部１２ｃは、案内手段の一例であり、この場合、チルド室１０内の底面に向かって下降傾斜する板状に設けられている。また、冷蔵庫１は、チルド室用冷気吹出口１２ａおよびチルド室用冷気吸込口１２ｂにダンパを備えていない構成となっている。なお、冷蔵庫１は、チルド室用冷気吹出口１２ａおよびチルド室用冷気吸込口１２ｂにダンパを備える構成としてもよい。
【００１１】
冷却室１２の内面には、例えば発泡ウレタンなどにより構成される断熱材１２ｄが取り付けられている。また、冷却室１２内には、冷気を生成するための冷凍サイクルを構成する冷却器１３、および、この冷却器１３が生成する冷気を送風するファン１４が備えられている。このファン１４が駆動することにより、冷却器１３が生成する冷気は、冷気ダクト１１の冷蔵室用冷気吹出口１１ａから冷蔵室３内に供給され、また、冷却室１２のチルド室用冷気吹出口１２ａからチルド室１０内に供給される。このとき、ファン１４が送風する冷気は、チルド室用冷気吹出口１２ａから案内板１２ｃによって案内されて、チルド室１０の底面に向かうように流れるようになる。また、チルド室１０内に供給された冷気は、ファン１４の送風作用により、冷却室１２のチルド室用冷気吸込口１２ｂから冷却室１２内に吸い込まれるようになっている。
【００１２】
本開示に係る冷蔵庫１においては、チルド室１０内には、複数、この場合、２つの収容容器２１，２２が上下に配置されている。これら収容容器２１，２２は、それぞれ別個にチルド室１０内から冷蔵庫１の前後方向に沿って出し入れ可能となっている。また、冷蔵庫１は、収容容器２１，２２がチルド室１０内に収容された状態において当該チルド室１０が密閉状態とならないように構成されている。なお、冷蔵庫１は、収容容器２１，２２がチルド室１０内に収容された状態において当該チルド室１０が密閉状態となる構成としてもよい。
【００１３】
次に、冷蔵庫１の制御系の構成例について説明する。図３に例示する制御装置３０は、制御手段の一例である。制御装置３０は、例えばマイクロコンピュータを主体として構成されており、制御プログラムや各種の設定内容に基づき冷蔵庫１の動作全般を制御する。制御装置３０には、上述したファン１４が接続されている。また、制御装置３０には、外気温度センサ３１、チルド室用温度センサ３２、表示パネル３３、冷凍サイクルを構成するコンプレッサ３４などが接続されている。
【００１４】
外気温度センサ３１は、温度検知手段および外気温度検知手段の一例であり、冷蔵庫１に関わる所定領域の温度を検知するものである。本開示に係る冷蔵庫１では、外気温度センサ３１は、冷蔵庫１に関わる所定領域として、この場合、冷蔵庫１の外気の温度、つまり、冷蔵庫１の周辺の温度を検知するようになっている。外気温度センサ３１は、冷蔵庫１の外気の温度を検知可能な部位に設けるとよく、例えば、断熱箱体２の外面などに設けるとよい。図１に例示するように、本開示に係る冷蔵庫１においては、外気温度センサ３１は、冷蔵室３を開閉する冷蔵室扉の前面に設けられている。
【００１５】
チルド室用温度センサ３２は、温度検知手段および特別冷却室内温度検知手段の一例であり、冷蔵庫１に関わる所定領域の温度を検知するものである。本開示に係る冷蔵庫１では、チルド室用温度センサ３２は、冷蔵庫１に関わる所定領域として、この場合、特別冷却室の一例であるチルド室１０内の温度を検知するようになっている。なお、チルド室１０およびその周辺部分の構造の複雑化を回避するべく、チルド室用温度センサ３２は、チルド室１０の外部に設けるようにするとよい。
【００１６】
図２に例示するように、本開示に係る冷蔵庫１においては、チルド室用温度センサ３２は、チルド室１０の外部の一例である冷却室１２の内部に設けられている。冷却室１２の内部には、冷蔵室３内に供給される冷気のほか、チルド室１０内に供給される冷気も流れる。よって、冷却室１２内に設けられたチルド室用温度センサ３２によれば、チルド室１０内の温度を間接的に検知することができる。なお、チルド室用温度センサ３２は、冷却室１２以外の部分、例えば、冷気ダクト１１の内部などに設けてもよい。
【００１７】
表示パネル３３は、報知手段の一例であり、例えば、冷蔵室３を開閉する冷蔵室扉の前面に設けられている。表示パネル３３は、選択されている制御モードを例えば文字情報やアイコン情報などにより表示可能に構成されている。また、表示パネル３３は、例えば静電容量式のタッチスイッチを備えており、使用者の操作を受け付ける操作部としても機能するようになっている。本開示に係る冷蔵庫１によれば、上述した外気温度センサ３１は、この表示パネル３３に組み込まれている。なお、外気温度センサ３１は、表示パネル３３とは別の部位に設けてもよい。
【００１８】
コンプレッサ３４は、上述した冷却器１３や図示しない凝縮器とともに、冷気を生成するための周知の冷凍サイクルを構成している。コンプレッサ３４は、冷凍サイクルにおいて、冷却器１３に冷媒を送ることにより、当該冷却器１３を冷却させる。
【００１９】
制御装置３０は、制御プログラムや表示パネル３３を介して入力された各種の設定内容に基づいて、ファン１４やコンプレッサ３４などの駆動を制御することにより、冷蔵室３などの各種の貯蔵室の内部をそれぞれ設定温度に冷却する。そして、本開示に係る冷蔵庫１は、特に、チルド室１０内の冷却制御について創意工夫が施されている。次に、そのチルド室１０内の冷却制御例について詳細に説明する。
【００２０】
制御装置３０は、冷蔵室３内およびチルド室１０内を冷却する冷却モードとして、複数種類の冷却モード、この場合、少なくとも、通常冷却モード、特別チルドモードを実行可能に構成されている。
【００２１】
通常冷却モードは、チルド室１０内を所定の通常温度帯に冷却する冷却モードである。なお、通常冷却モードにおける通常温度帯は、適宜変更して設定することができる。
【００２２】
特別チルドモードは、特別冷却モードの一例であり、チルド室１０内を通常冷却モードにおける通常温度帯よりもさらに低い特別温度帯に冷却する冷却モードである。なお、特別チルドモードにおける特別温度帯は、通常冷却モードにおける通常温度帯よりも低い温度帯において適宜変更して設定することができる。
【００２３】
図４に例示するように、通常温度帯Ｂ１は、通常冷却モードにおける目標温度Ｋ１を基準として所定の調整値ｕ１，ｄ１内となる温度帯となっている。この場合、通常冷却モードにおける目標温度Ｋ１は、例えば８．０℃で設定されており、通常温度帯Ｂ１は、この通常冷却モードにおける目標温度Ｋ１に所定の通常冷却モード用上限温度調整値ｕ１を加算した通常冷却モード用上限温度Ｕ１と、通常冷却モードにおける目標温度Ｋ１から所定の通常冷却モード用下限温度調整値ｄ１を減算した通常冷却モード用下限温度Ｄ１との間の温度帯となっている。
【００２４】
通常冷却モード用上限温度調整値ｕ１および通常冷却モード用下限温度調整値ｄ１は、通常冷却モード用に規定された通常冷却モード用の調整値であり、適宜変更して設定することができる。本開示に係る冷蔵庫１では、通常冷却モード用上限温度調整値ｕ１および通常冷却モード用下限温度調整値ｄ１は、何れも、例えば１．０℃で設定されている。なお、通常冷却モード用上限温度調整値ｕ１および通常冷却モード用下限温度調整値ｄ１は、それぞれ異なる値を設定してもよい。
【００２５】
一方、特別温度帯Ｂ２は、特別チルドモードにおける目標温度Ｋ２を基準として所定の調整値ｕ２，ｄ２内となる温度帯となっている。この場合、特別チルドモードにおける目標温度Ｋ２は、例えば２．０℃で設定されており、特別温度帯Ｂ２は、この特別チルドモードにおける目標温度Ｋ２に所定の特別チルドモード用上限温度調整値ｕ２を加算した特別チルドモード用上限温度Ｕ２と、特別チルドモードにおける目標温度Ｋ２から所定の特別チルドモード用下限温度調整値ｄ２を減算した特別チルドモード用下限温度Ｄ２との間の温度帯となっている。
【００２６】
特別チルドモード用上限温度調整値ｕ２および特別チルドモード用下限温度調整値ｄ２は、特別冷却モード用に規定された特別冷却モード用の調整値であり、適宜変更して設定することができる。本開示に係る冷蔵庫１では、特別チルドモード用上限温度調整値ｕ２および特別チルドモード用下限温度調整値ｄ２は、何れも、例えば０．５℃で設定されている。
【００２７】
つまり、本開示に係る冷蔵庫１によれば、特別チルドモード用上限温度調整値ｕ２として、通常冷却モード用上限温度調整値ｕ１よりも小さい値が設定されている。また、本開示に係る冷蔵庫１によれば、特別チルドモード用下限温度調整値ｄ２として、通常冷却モード用上限温度調整値ｄ１よりも小さい値が設定されている。なお、特別チルドモード用上限温度調整値ｕ２および特別チルドモード用下限温度調整値ｄ２は、それぞれ異なる値を設定してもよい。
【００２８】
制御装置３０は、通常冷却モードの実行中においては、チルド室用温度センサ３２によって検知されるチルド室１０内の温度が通常冷却モード用上限温度Ｕ１以上になると、コンプレッサ３４の駆動をオンする。これにより、チルド室１０内の冷却が開始され、当該チルド室１０内の温度が通常冷却モード用上限温度Ｕ１よりも低くなっていく。また、制御装置３０は、通常冷却モードの実行中においては、チルド室用温度センサ３２によって検知されるチルド室１０内の温度が通常冷却モード用下限温度Ｄ１以下になると、コンプレッサ３４の駆動をオフする。これにより、チルド室１０内の冷却が停止され、当該チルド室１０内の温度が通常冷却モード用下限温度Ｄ１よりも高くなっていく。制御装置３０は、このように、チルド室１０内の温度の高低に基づきコンプレッサ３４の駆動を制御することにより、チルド室１０内の温度を所定の通常温度帯Ｂ１内に維持する。
【００２９】
なお、制御装置３０は、通常冷却モードの実行中においては、ファン１４の駆動のオン／オフをコンプレッサ３４の駆動のオン／オフに連動させるようにしてもよいし、連動させないようにしてもよい。
【００３０】
一方、制御装置３０は、特別冷却モードの実行中においては、チルド室用温度センサ３２によって検知されるチルド室１０内の温度が特別チルドモード用上限温度Ｕ２以上になると、コンプレッサ３４の駆動をオンする。これにより、チルド室１０内の冷却が開始され、当該チルド室１０内の温度が特別チルドモード用上限温度Ｕ２よりも低くなっていく。また、制御装置３０は、特別冷却モードの実行中においては、チルド室用温度センサ３２によって検知されるチルド室１０内の温度が特別チルドモード用下限温度Ｄ２以下になると、コンプレッサ３４の駆動をオフする。これにより、チルド室１０内の冷却が停止され、当該チルド室１０内の温度が特別チルドモード用下限温度Ｄ２よりも高くなっていく。制御装置３０は、このように、チルド室１０内の温度の高低に基づきコンプレッサ３４の駆動を制御することにより、チルド室１０内の温度を所定の特別温度帯Ｂ２内に維持する。
【００３１】
また、制御装置３０は、特別冷却モードの実行中においては、例えば下記のようにファン１４の駆動を制御する。即ち、制御装置３０は、特別冷却モードの実行中において、チルド室用温度センサ３２によって検知されるチルド室１０内の温度が特別チルドモード用上限温度Ｕ２以上になると、コンプレッサ３４の運転周波数に基づいてファン１４の回転速度を制御する。つまり、制御装置３０は、ファン１４の回転速度をコンプレッサ依存制御により制御する。
【００３２】
本開示に係る冷蔵庫１では、制御装置３０は、チルド室１０内の温度が特別チルドモード用上限温度Ｕ２から高いほど、コンプレッサ３４の運転周波数を高くするように設定されている。そのため、制御装置３０は、チルド室１０内の温度が特別チルドモード用上限温度Ｕ２から高いほど、つまり、コンプレッサ３４の運転周波数が高いほど、ファン１４の回転速度を高くする。この場合、制御装置３０は、コンプレッサ３４の運転周波数に応じて、換言すれば、チルド室１０内の温度に応じて、複数段階、例えば、２０００ｒｐｍ、１５００ｒｐｍ、１０００ｒｐｍの３段階でファン１４の回転速度を切り換えるように構成されている。
【００３３】
なお、チルド室１０内の温度が特別チルドモード用上限温度Ｕ２以上である場合におけるファン１４の回転速度は、コンプレッサ３４の運転周波数に関わらず一定の回転速度、例えば、１５００ｒｐｍで一定としてもよい。
【００３４】
また、制御装置３０は、特別冷却モードの実行中において、チルド室用温度センサ３２によって検知されるチルド室１０内の温度が特別温度帯Ｂ２内に維持されている場合には、外気温度センサ３１によって検知される冷蔵庫１の外気の温度に基づいてファン１４の回転速度を制御する。つまり、制御装置３０は、ファン１４の回転速度を外気温度依存制御により制御する。
【００３５】
チルド室１０内の温度が特別温度帯Ｂ２内に維持されている場合とは、つまり、チルド室１０内の温度が、特別チルドモードにおける目標温度Ｋ２に特別チルドモード用上限温度調整値ｕ２を加算した特別チルドモード用上限温度Ｕ２と特別チルドモードにおける目標温度Ｋ２から特別チルドモード用下限温度調整値ｄ２を減算した特別チルドモード用下限温度Ｄ２との間の温度帯に維持されている場合、ということである。
【００３６】
本開示に係る冷蔵庫１では、制御装置３０は、冷蔵庫１の外気の温度が高いほど、ファン１４の回転速度を高くする。この場合、制御装置３０は、冷蔵庫１の外気の温度に応じて、複数段階、例えば、９００ｒｐｍ、８５０ｒｐｍ、８００ｒｐｍの３段階でファン１４の回転速度を切り換えるように構成されている。
【００３７】
なお、チルド室１０内の温度が特別温度帯Ｂ２内に維持されている場合におけるファン１４の回転速度は、チルド室１０内の温度が特別チルドモード用上限温度Ｕ２以上である場合におけるファン１４の回転速度よりも低い回転速度で設定するとよい。また、チルド室１０内の温度が特別温度帯Ｂ２内に維持されている場合におけるファン１４の回転速度は、冷蔵庫１の外気の温度に関わらず一定の回転速度、例えば、９００ｒｐｍで一定としてもよい。
【００３８】
また、制御装置３０は、さらに、うるおいモードを実行可能に構成されている。うるおいモードは、チルド室１０内に湿気を供給するための制御モードであり、この場合、冷却器１３に付着した霜をファン１４の送風作用によって吹き飛ばしてチルド室１０内に供給する制御モードとなっている。つまり、うるおいモードは、冷却器１３から霜を取り除く除霜モードの一例でもある。そして、制御装置３０は、このうるおいモードにおけるファン１４の回転速度を、特別チルドモードにおけるファン１４の回転速度よりも高くする。この場合、制御装置３０は、うるおいモードにおけるファン１４の回転速度を、例えば２２００ｒｐｍで設定している。
【００３９】
なお、うるおいモードの動作を開始する開始条件および動作を終了する終了条件は、適宜変更して設定することができる。例えば、うるおいモードの動作を開始する開始条件は、冷蔵庫１の外気の温度が所定温度以上になった場合、図示しない湿度センサにより検知される湿度が所定湿度以下になった場合、ユーザによりうるおいモードの開始が入力された場合などを設定することができる。また、うるおいモードの動作を終了する終了条件は、冷蔵庫１の外気の温度が所定温度以下になった場合、図示しない湿度センサにより検知される湿度が所定湿度以上になった場合、ユーザによりうるおいモードの終了が入力された場合などを設定することができる。
【００４０】
次に、制御装置３０による冷蔵庫１の制御例について説明する。なお、ここでは、上述した通常冷却モードおよび特別チルドモードの何れか一方のモードを選択的に実行する場合の制御例について説明する。図５に例示するように、制御装置３０は、冷蔵室３内およびチルド室１０内の冷却動作を開始すると、つまり、ファン１４やコンプレッサ３４などの駆動を開始すると（Ｓ１）、図示しないタイマにより、冷却動作を開始してからの経過時間つまり冷却時間の計測を開始する（Ｓ２）。また、制御装置３０は、設定されている冷却モードが特別チルドモードであるか否かを確認する（Ｓ３）。
【００４１】
制御装置３０は、設定されている冷却モードが特別チルドモードでない場合（Ｓ３：ＮＯ）には、チルド室１０内の目標温度として通常冷却モードにおける目標温度Ｋ１を設定する（Ｓ４）。そして、制御装置３０は、通常冷却モード用上限温度調整値ｕ１および通常冷却モード用下限温度調整値ｄ１を設定する（Ｓ５）。この場合、制御装置３０は、通常冷却モード用上限温度調整値ｕ１および通常冷却モード用下限温度調整値ｄ１として、何れも１．０℃を設定する。
【００４２】
そして、制御装置３０は、通常冷却モードにおける通常温度帯Ｂ１を設定する（Ｓ６）。即ち、制御装置３０は、通常冷却モードにおける目標温度Ｋ１に通常冷却モード用上限温度調整値ｕ１を加算した通常冷却モード用上限温度Ｕ１と、通常冷却モードにおける目標温度Ｋ１から通常冷却モード用下限温度調整値ｄ１を減算した通常冷却モード用下限温度Ｄ１との間の温度帯を、通常温度帯Ｂ１として決定する。そして、制御装置３０は、ステップＳ１０に移行する。
【００４３】
一方、制御装置３０は、特別チルドモードの実行が設定されている場合（Ｓ３：ＹＥＳ）には、チルド室１０内の目標温度として特別チルドモードにおける目標温度Ｋ２を設定する（Ｓ７）。そして、制御装置３０は、特別チルドモード用上限温度調整値ｕ２および特別チルドモード用下限温度調整値ｄ２を設定する（Ｓ８）。この場合、制御装置３０は、特別チルドモード用上限温度調整値ｕ２および特別チルドモード用下限温度調整値ｄ２として、何れも０．５℃を設定する。つまり、制御装置３０は、特別チルドモード用上限温度調整値ｕ２として通常冷却モード用上限温度調整値ｕ１よりも小さい値を設定し、特別チルドモード用下限温度調整値ｄ２として通常冷却モード用上限温度調整値ｄ１よりも小さい値を設定する。
【００４４】
そして、制御装置３０は、特別チルドモードにおける特別温度帯Ｂ２を設定する（Ｓ９）。即ち、制御装置３０は、特別チルドモードにおける目標温度Ｋ２に特別チルドモード用上限温度調整値ｕ２を加算した特別チルドモード用上限温度Ｕ２と、特別チルドモードにおける目標温度Ｋ２から特別チルドモード用下限温度調整値ｄ２を減算した特別チルドモード用下限温度Ｄ２との間の温度帯を、特別温度帯Ｂ２として決定する。そして、制御装置３０は、ステップＳ１０に移行する。
【００４５】
制御装置３０は、ステップＳ１０に移行すると、冷却動作を開始してからの経過時間、つまり、冷却時間が所定の最大冷却時間を超えているか否かを確認する。最大冷却時間は、適宜変更して設定することができ、この場合、例えば６０分が設定されている。制御装置３０は、冷却時間が最大冷却時間を超えている場合（Ｓ１０：ＹＥＳ）には、冷蔵室３内およびチルド室１０内の冷却動作を終了、つまり、ファン１４やコンプレッサ３４などの駆動を停止する（Ｓ１７）。
【００４６】
一方、制御装置３０は、冷却時間が最大冷却時間を超えていない場合（Ｓ１０：ＮＯ）には、冷却時間が最低冷却時間を超えているか否か、および、冷凍室の温度が所定の冷凍開始温度を超えているか否か、を確認する（Ｓ１１）。最低冷却時間は、適宜変更して設定することができ、この場合、例えば２０分が設定されている。また、冷凍室の温度は、例えば、冷凍室７内、あるいは、冷凍室７内に冷気を供給する冷気ダクト内に設けられている図示しない冷凍室用の温度センサによって検知することができる。また、冷凍室の冷凍開始温度は、適宜変更して設定することができる。
【００４７】
制御装置３０は、冷却時間が最低冷却時間を超えており、且つ、冷凍室の温度が所定の冷凍開始温度を超えている場合（Ｓ１１：ＹＥＳ）には、冷蔵室３内およびチルド室１０内の冷却動作を終了、つまり、ファン１４やコンプレッサ３４などの駆動を停止する（Ｓ１７）。つまり、制御装置３０は、冷蔵室３内およびチルド室１０内を少なくとも最低冷却時間を超えて冷却している状況において、冷凍室７の温度が冷却を要するほど高くなっている状況となっている場合には、冷蔵室３内およびチルド室１０内の冷却動作を終了して、冷凍サイクルが発生する冷気を冷凍室７に提供するようになっている。
【００４８】
一方、制御装置３０は、冷却時間が最低冷却時間を超えていない場合、または、冷凍室の温度が所定の冷凍開始温度を超えていない場合（Ｓ１１：ＮＯ）には、チルド室用温度センサ３２によって検知される温度、つまり、チルド室１０内の温度が特別温度帯Ｂ２の下限温度、つまり、特別チルドモード用下限温度Ｄ２よりも低くなっているか否かを確認する（Ｓ１２）。
【００４９】
制御装置３０は、チルド室１０内の温度が特別チルドモード用下限温度Ｄ２よりも低くなっている場合（Ｓ１２：ＹＥＳ）には、冷蔵室３内およびチルド室１０内の冷却動作を終了、つまり、ファン１４やコンプレッサ３４などの駆動を停止する（Ｓ１７）。これにより、チルド室１０内の温度が上昇して特別チルドモード用下限温度Ｄ２以上となり、チルド室１０内の温度が特別温度帯Ｂ２内に収まるようになる。
【００５０】
一方、制御装置３０は、チルド室１０内の温度が特別チルドモード用下限温度Ｄ２よりも低くなっていない場合（Ｓ１２：ＮＯ）には、念のため、設定されている冷却モードが特別チルドモードであるか否かを改めて確認する（Ｓ１３）。
【００５１】
制御装置３０は、設定されている冷却モードが特別チルドモードでない場合（Ｓ１３：ＮＯ）には、ファン１４の回転速度をコンプレッサ依存制御により制御する（Ｓ１４）。このコンプレッサ依存制御は、ファン１４の回転速度を、コンプレッサ３４の運転周波数に基づいて制御するものである。そして、制御装置３０は、コンプレッサ依存制御を開始すると、ステップＳ１０に移行する。なお、このとき、制御装置３０は、ステップＳ３に移行するようにしてもよい。
【００５２】
一方、制御装置３０は、設定されている冷却モードが特別チルドモードである場合（Ｓ１３：ＹＥＳ）には、チルド室用温度センサ３２によって検知される温度、つまり、チルド室１０内の温度が特別温度帯Ｂ２の上限温度、つまり、特別チルドモード用上限温度Ｕ２よりも高くなっているか否かを確認する（Ｓ１５）。
【００５３】
そして、制御装置３０は、チルド室１０内の温度が特別チルドモード用上限温度Ｕ２よりも高くなっている場合（Ｓ１５：ＹＥＳ）には、コンプレッサ３４の運転周波数に基づいてファン１４の回転速度を制御する（Ｓ１４）。
【００５４】
一方、制御装置３０は、チルド室１０内の温度が特別チルドモード用上限温度Ｕ２よりも高くなっていない場合（Ｓ１５：ＮＯ）には、ファン１４の回転速度を外気温度依存制御により制御する（Ｓ１６）。この外気温度依存制御は、ファン１４の回転速度を、冷蔵庫１の外気の温度に基づいて制御するものである。そして、制御装置３０は、外気温度依存制御を開始すると、ステップＳ１０に移行する。なお、このとき、制御装置３０は、ステップＳ３に移行するようにしてもよい。
【００５５】
本開示に係る冷蔵庫１によれば、特別チルドモードにおける特別温度帯Ｂ２を規定する調整値として、特別チルドモード用に規定された特別チルドモード用調整値ｕ２，ｄ２を設定するようにした。この場合、特別チルドモード用調整値ｕ２，ｄ２として、通常冷却モードにおける調整値ｕ１，ｄ１よりも小さい値が設定される。そのため、特別チルドモードにおける特別温度帯Ｂ２は、通常冷却モードにおける通常温度帯Ｂ１よりも狭い温度帯となり、従って、特別チルドモードにおいては、通常冷却モードに比べ、コンプレッサ３４のオン／オフがきめ細かく制御されるようになる。
【００５６】
よって、チルド室１０の内部を、特別チルドモードにおける目標温度帯である特別温度帯Ｂ２内に精度良く冷却することができる。さらに、本開示に係る冷蔵庫１によれば、このような特別温度帯Ｂ２の調整によってチルド室１０の内部を目標温度帯に精度良く冷却できるようにした。そのため、例えば、チルド室１０を密閉構造にしたり、温度センサをチルド室１０内に設けたり、チルド室１０内への冷気の送風口にダンパを設けたりする必要がなく、従って、構造の複雑化、部品点数の増加、制御の複雑化を招くことなく、チルド室１０の内部を目標温度帯に精度良く冷却することができる。
【００５７】
また、冷蔵庫１によれば、制御装置３０は、特別チルドモードの実行中において、チルド室１０内の温度が特別温度帯Ｂ２の上限温度Ｕ２以上になると、コンプレッサ３４の運転周波数に基づいてファン１４の回転速度を制御する。そのため、チルド室１０内の温度が特別温度帯Ｂ２の上限温度Ｕ２以上である場合に、チルド室１０内に冷気を迅速に供給することができ、チルド室１０内の温度を特別温度帯Ｂ２の上限温度Ｕ２以下、つまり、特別温度帯Ｂ２の範囲内に迅速に収めることができる。
【００５８】
また、冷蔵庫１によれば、制御装置３０は、特別冷却モードの実行中において、チルド室１０内の温度が特別温度帯Ｂ２の範囲内に維持されている場合には、冷蔵庫１の外気の温度に基づいてファン１４の回転速度を制御する。これにより、冷蔵庫１の外気の温度に応じて、チルド室１０内に供給される冷気の量をきめ細かく調整することができ、チルド室１０内の温度が特別温度帯Ｂ２の範囲内に収められた状態を長期にわたって安定的に維持することができる。
【００５９】
また、冷蔵庫１によれば、うるおいモードにおけるファン１４の回転速度を、特別チルドモードにおけるファン１４の回転速度よりも高くする。つまり、うるおいモードにおけるファン１４の回転速度を、ある程度の高い回転速度とすることにより、冷却器１３に付着した霜を効率良く吹き飛ばしてチルド室１０内に供給することができ、チルド室１０内の湿気を十分に維持することができる。
【００６０】
なお、本実施形態は、上述した一実施形態に限定されるものではなく、その要旨を逸脱しない範囲で種々の変形または拡張を行うことができる。例えば、冷蔵庫１は、当該冷蔵庫１に関わる所定領域の温度として外気の温度を検知するものに限られるものではなく、例えば、貯蔵室内の温度、制御装置３０やコンプレッサ３４が備えられる図示しない機械室の温度、冷却室１２内の温度などの温度を検知するように構成してもよい。
【００６１】
また、特別冷却室は、チルド室１０に限定されるものではなく、他の冷却室であってもよい。また、特別冷却室が設けられる位置は、冷蔵室３内の底部に限定されるものではなく、例えば、冷蔵室３内の上部や側部、あるいは、他の貯蔵室の内部など、適宜変更して実施することができる。
【００６２】
以上、本発明の複数の実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００６３】
図面中、１は冷蔵庫、３は冷蔵室、１０はチルド室（特別冷却室）、１３は冷却器、１４はファン、３０は制御装置（制御手段）、３１は外気温度センサ（温度検知手段、外気温度検知手段）、３２はチルド室用温度センサ（温度検知手段、特別冷却室内温度検知手段）、３４はコンプレッサを示す。
【図１】
2020122590.tif 000003
【図２】
2020122590.tif 000004
【図３】
2020122590.tif 000005
【図４】
2020122590.tif 000006
【図５】
2020122590.tif 000007